(57)【要約】【解決しようとする課題】肥料の効果の持続期間が長く、病原性に強い植物を育て、而も痩せた畑地や酸性化した畑地等でも幅広く施肥することができる取り扱いが容易な肥料を提供する。【課題を解決する手段】本発明の肥料は、イチョウの内種子をアルコール等に浸漬した抽出残渣、ウメ果実抽出残渣、柑橘系植物の果皮抽出残渣等を利用するものであって、該抽出残渣を含む肥料は持続効果が長く、病原性に強い植物を育て、而も痩せた畑地や酸性化した畑地等でも幅広く施肥することができる取り扱いが容易な肥料である。【選択図】なし【特許請求の範囲】
【請求項１】
イチョウ（Ginkgo biloba)の内種子をアルコール溶媒又はアルコールと水との混合溶媒にて浸漬して得られるイチョウ内種子抽出残渣を含有してなることを特徴とする肥料。
【請求項２】
薬草を醸造酢にて浸漬して得られる薬草抽出残渣を含有してなることを特徴とする請求項１に記載の肥料。
【請求項３】
ウメ（Prunus Mume）の果実をアルコール溶媒若しくはアルコールと水との混合溶媒に浸漬し又は食用塩に塩漬して得られるウメ果実抽出残渣を含有することを特徴とする請求項１又は請求項２のいずれかに記載の肥料。
【請求項４】
柑橘系植物の果皮を醸造酢又はアルコール溶媒若しくはアルコールと水との混合溶媒に浸漬して得られる果皮抽出残渣を含有することを特徴とする請求項１から請求項３のいずれかに記載の肥料。
【請求項５】
菊芋、キィウイ、イチョウ内種子、ドクダミ、スギナ、玉葱等をウォッカ、焼酎、酢等で浸漬後、浸漬残渣と上澄液を混合して破砕したことを特徴とする肥料。
【請求項６】
請求項１から請求項５の何れかに記載の肥料と油かすを混合したことを特徴とする肥料。
【発明の詳細な説明】
【技術分野】
【０００１】
本発明は花卉、野菜、植木などの生育を促進し、土壌を改良するために施す肥料に関する。より詳しくは、イチョウ内種子のアルコール等による抽出残渣を含有することを特徴とする肥料に関する。
【背景技術】
【０００２】
化学肥料の多くは中性であるが施肥した後に、分解吸収されると土壌は酸性になるので生理的酸性肥料と呼ばれる。化学肥料は与え過ぎると土壌が酸性化する等の害がでる上に、植物が必要とする栄養素を与えるためには何種類もの化学肥料を併用する必要がある。このように化学肥料は肥料の種類、施肥量、施肥時期など使い方がむずかしいという問題がある。
【０００３】
これに対して有機肥料は、動物体・植物体とその生育物が発酵・腐敗する過程で生育される「腐植」と「肥料成分」を利用するために作られる肥料である。有機肥料は肥料成分だけを見ると含有率が低いので能率がわるい。しかし、肥料成分だけでは説明できない優れた効果が認められている。それは植物の生育のみならず土壌中の有用微生物を増やし、土壌を活性化させる効果を有している。このように有機肥料は無農薬栽培を可能にするなど、有機農業の爆発的人気の引き金になった。有機肥料は自然環境を破壊しないバイオテクノロジー土壌改良剤、活力剤、野菜・果実等の植物活力剤として注目されている。
【０００４】
他方、イチョウはその炭水化物の糖質と灰分、蛋白質、 無機質のリン酸とカリウムが多く含まれており、ビタミンBのチアミンとリボフラビン、ナイアシン、カロチンそれにアスコルビン酸等のビタミン成分等も多く含まれている。また、タンパク質はアミノ酸バランスがよく良質である。さらに、焼いたぎんなんは尿を抑え、生のイチョウ内種子はよく尿を出す利尿の働きをする。ぎんなんの油漬けは肺結核に効くといわれている。 そして、皮膚病、腫れ物、ひび、あかぎれには、ぎんなんを生ですりつぶして貼ると効くといわれ、食用としても健康食品としても重宝な種子である。
【０００５】
イチョウの種子の利用方法として、その他に、例えば特許文献１には、イチョウの内種子をアルコール溶媒又はアルコールと水との混合液に浸漬して得られるイチョウ内種子抽出液を含有する洗浄液が開示されている。さらに、ウメ果実のアルコール浸漬又はウメ果実を塩漬けして得られる果実抽出液や、柑橘類の抽出液を加えて洗浄効果を高めた洗浄液が開示されている。
【０００６】
また、特許文献２は果実の発酵液に廃水を浄化する作用があることを見出して、この発酵液を固体担体に接触させて得られる浄化材を得て、効率的に排水を浄化する方法が開示されている。この果実の発酵液は、ブドウ、柿の実、アケビ、イチゴ、野イチゴ、すもも、ぎんなんを充分に潰して果肉液を得て、これに糖蜜を加えて発酵させたものを担体に接触させた浄化材が開示されている。
【０００７】
上述のようにイチョウの種子の利用方法は多岐に渡っているが、未だ肥料としての利用方法は知られていない。さらに、有機肥料で効果持続期間が長く、病原性に強い植物を育て、而も痩せた畑地や酸性化した畑地等でも幅広く施肥することができる取り扱いが容易な肥料の出現が望まれている。
【特許文献１】特願２００２−１３８１０９号公報
【特許文献２】特願２００１−１４９９７６号公報
【発明の開示】
【発明が解決しようとする課題】
【０００８】
本発明は肥料の効果の持続期間が長く、病原性に強い植物を育て、而も痩せた畑地や酸性化した畑地等でも幅広く施肥することができる取り扱いが容易な肥料を提供する。
【課題を解決するための手段】
【０００９】
本発明者等は上記肥料を調整すべく鋭意研究を重ねた結果、効果持続期間が長く、病原性に強い植物を育て、而も痩せた畑地や酸性化した畑地等で幅広く施肥することができる取り扱いが容易な有機肥料の調整に成功した。本発明の肥料は、イチョウの内種子をアルコール等に浸漬した抽出残渣を利用するものであって、該抽出残渣を含む肥料は持続効果が長く、病原性に強い植物を育て、而も痩せた畑地や酸性化した畑地等で幅広く施肥することができる取り扱いが容易な肥料である。
【００１０】
本発明の第１の特徴は、イチョウ（Ginkgo biloba)の内種子をアルコール溶媒又はアルコールと水との混合溶媒にて浸漬して得られるイチョウ内種子抽出残渣を含有してなることを特徴とする肥料である。本発明の肥料を施肥することによって、土壌に病原菌が入りにくくなり、農作物も丈夫に育つ。
【００１１】
本発明の第２の特徴は、薬草を醸造酢にて浸漬して得られる薬草抽出残渣を含有してなることを特徴とする請求項１に記載の肥料である。該抽出残渣とイチョウ抽出残渣の混合肥料を施肥した結果、植物は勢いを増し、病原性に強い植物を育てることができた。
【００１２】
本発明の第３の特徴は、ウメ（Prunus Mume ）の果実をアルコール溶媒若しくはアルコールと水との混合溶媒に浸漬し又は食用塩に塩漬して得られるウメ果実抽出残渣を含有することを特徴とする請求項１又は請求項２のいずれかに記載の肥料である。該肥料と請求項１のイチョウ内種子抽出残渣の混合物を施肥することによって、果実の旨み成分であるアミノ酸が増加して、果実がおいしくなった。
【００１３】
本発明の第４の特徴は、柑橘系植物の果皮を醸造酢又はアルコール溶媒若しくはアルコールと水との混合溶媒に浸漬して得られる果皮抽出残渣を含有することを特徴とする請求項１から請求項３のいずれかに記載の肥料である。イチョウ内種子抽出残渣と当該抽出残渣を混合して施肥すると、土壌病原菌を漸次駆逐して有用微生物の繁殖を促し、健全な土壌を作ることができる。また、該肥料は効果持続時間が長く、病害虫の発生が少ない。植物は勢いがあり、病原性に強い植物を育てる。
【００１４】
本発明の第５の特徴は、菊芋、キィウイ、イチョウ内種子、ドクダミ、スギナ、玉葱等をウォッカ、焼酎、酢等で浸漬後、浸漬残渣と上澄液を混合して破砕したことを特徴とする肥料である。
玉葱等は病気になりにくく、ナスはなり始めから秋まで間断なくみのり、根菜類は太く瑞々しくする効果を有している。
【００１５】
本発明の第６の特徴は、請求項１から請求項５の何れかに記載の肥料と油かすを混合したことを特徴とする肥料である。本発明の肥料と油かすを混合することによって、効果を高めると共に、肥料に持続性を持たせることが出来る。
【発明の効果】
【００１６】
本発明のイチョウ内種子のアルコール等の溶媒による抽出残渣を含有する肥料は、持続効果が長く、病原性に強い植物を育て、而も連作等によって痩せた畑地や酸性化した畑地を改良する等、幅広く施肥することができる取り扱いが容易な肥料である。さらに、土壌病原菌を漸次駆逐して有用微生物の繁殖を促し健全な土壌を作る効果がある。雑草が生えにくく、植物の成長が早い。玉葱等は病気になりにくく、ナスはなり始めから秋まで間断なくみのり、根菜類は太く瑞々しくなった。
【発明を実施するための最良の形態】
【００１７】
以下に本発明の実施について例を挙げて説明するが、本発明の肥料は要旨を逸脱しない範囲において以下の実施例に限定されるものではない。
実施例１
イチョウ内種子の抽出残渣の調製は、以下のように行った。イチョウ（Ginkgo biloba）内種子は、イチョウ内種子の多肉質の外種皮を除いて得られる白色硬質の種皮に覆われた部分であり、その内部にある胚乳は、従来より食用とされている。この内種子を硬質の種皮の付いた状態のままアルコール抽出に用いた。抽出溶媒には、アルコール度数３５％のウォッカを用いた。イチョウ内種子４ｋｇを遮光性のプラスチック製密封容器に入れ、これにウォッカ５Ｌを加えて、冷暗所でおよそ１年間靜置して浸漬抽出を行った後、浸漬物を濾布で搾って、イチョウ内種子抽出液と本発明肥料に用いるイチョウ内種子抽出残渣を得た。このようにして得られたイチョウ内種子抽出液は特願２００２−１３８１０９号公報に記載の洗浄液として使用し、濾布で搾って得たイチョウ内種子抽出残渣を本発明の肥料として用いた。
【００１８】
アルコール溶媒としては、アルコール濃度が３５％以上のものを用いるのが好ましく、アルコール含有量の低いものを用いると、抽出過程で内種子が腐敗するおそれがある。前記ウォッカに限定されずメタノールやエタノール等の他、焼酎、ブランデー、ウイスキー等の飲用酒をそのまま又は水と混合して使用することができる。イチョウ内種子を浸漬する容器はプラスチック容器に限定されず、アルコールが飛ばない密封される容器であれば金属製や陶器性であってもよい。浸漬物の靜置保存の場所は、温度変化の少ない場所、あるいは温度コントロールのされた室内等であれば良く、上記冷暗所に限定されるものではない。靜置保存期間は上記実施例においては１年から２年が適当であるが、イチョウ内種子を浸漬するアルコール濃度、浸漬容器の大きさ、保存温度によって異なり、１年から２年に限定されるものではない。
【００１９】
上記のようにして得られたイチョウ内種子抽出残渣をそのまま肥料として用いても良く、あるいは請求項２から請求項４に記載の抽出残渣と混合し、混合肥料として用いてもよい。また、運搬や施肥する際に取り扱いやすいように、イチョウ内種子抽出残渣を乾燥して乾燥物を肥料として用いても良く、あるいは請求項２から請求項４に記載の乾燥した抽出残渣と混合して乾燥混合肥料として用いてもよい。
【００２０】
イチョウ内種子抽出残渣を畑に約８〜１０ｇ／ｍ2の割合で畑一面に均等になるように施した。その結果、土壌中の病原菌が減少して、農作物が丈夫に育ち、結果的に農薬の必要性がなくなった。
実施例２
薬草抽出残渣の調製は、以下のように行った。まず、ドクダミ（Houttuynia cordata）、スギナ（Equisetum arvense）の全草を、天日に晒して充分に乾燥させてドクダミ乾燥物及びスギナを得た。このドクダミ乾燥物１１０ｇ及びスギナ１１０ｇを、透光性のプラスチック製密封容器に入れ、ジャガイモ酢（又は米酢）１０Ｌに浸漬し、常温で約２ヶ月靜置して浸漬抽出物を濾布に入れて搾り、抽出液と抽出残渣に分けた。抽出液は特願２００２−１３８１０９号公報に記載の洗浄液として使用し、濾布で搾って得た薬草抽出残渣はイチョウ内種子抽出残渣と混合して本発明の肥料として用いた。
【００２１】
薬草抽出液に用いる薬草には、上記の他、ユキノシタ（Saxifraga stolonifera）、トウガラシ（Capsieum annuum）、オオバコ（Plantago asiatica）、サツマイモ（Lpomoea batatas）の葉、センザイノキ等が使用できる。また、これら薬草は１種類を用いてもよいし、２種以上を組み合わせて用いても良い。さらに、上記薬草は、原草をそのまま用いることもできるし、乾燥したものを用いることもできる。本明細書において「薬草」とは、全草の他、枝葉、根、根茎、実、種子、胚乳など、その一部を意味するものである。薬草を浸漬する醸造酢には、上記の他、米酢、芋酢等の穀物酢、リンゴ酢、ブドウ酢等の果実酢、合成酢等を用いることができる。
【００２２】
イチョウ内種子抽出残渣と薬草抽出残渣を１：１の混合割合で、畑に約８〜１０ｇ／ｍ2で施肥した結果、農作物は勢いを増し、病原性に強い植物を育てることができた。
実施例３
ウメ果実抽出残渣の調製は、以下のように行った。ウメ（Prunus Mume）の果実をプラスチック製密閉容器に入れ、これに容器内のウメ果実の全体が隠れる程度の量の食塩（塩化ナトリウム）を添加した。そして、冷暗所にて約１年靜置して塩漬け抽出を行い、ウメ果実を分離した液状部分を特願２００２−１３８１０９号公報に記載の洗浄液として使用し、塩漬けウメ果実をウメ果実抽出残渣として、イチョウ内種子抽出残渣と混合して本発明の肥料として用いた。
【００２３】
食用塩とは、食用に供することのできる塩のことであり、塩化ナトリウム（食塩）、塩化カリウム等の無機塩を用いることができるが、汎用性の観点から塩化ナトリウムを用いることが好ましい。ウメ果実に添加する食用塩の添加量は、少なくとも等張以上の浸透圧となる濃度以上の添加量が必要である。等張以下の濃度であると浸透作用を利用して抽出することができないからである。
【００２４】
また、ウメ果実をアルコールによって抽出残渣を得る場合は、イチョウ内種子と同様の手法でウメ果実をアルコールに浸漬して、数ヶ月から数年冷暗所で靜置した後、ウメ果実を分離してウメ果実抽出残渣として用いる。
【００２５】
イチョウ内種子抽出残渣とウメ果実抽出残渣の２種の抽出残渣を１：１の割合で混合して、畑に約８〜１０ｇ／ｍ2の量で施肥した。その結果、農作物のうまみ成分であるアミノ酸が増え、果実は糖度が増した。
実施例４
果皮抽出物残渣の調製は、天日乾燥させたウンシュウミカン（Citrus unshiu）の果皮をプラスチック製密封容器に入れ、これにジャガイモ酢（又は米酢）を果皮全体が浸る程度まで加えて約５日間放置して、濾布を用いて濾過して果皮抽出残渣を得、これをイチョウ内種子抽出残渣と混合して肥料とした。濾液部分は特願２００２−１３８１０９号公報に記載の洗浄液として使用した。
【００２６】
果皮は上記で用いたウンシュウミカンの他、オレンジ（Citrus auranthium）、レモン（Citrus limon）、グレープフルーツ（Citrus paradisi）、ダイダイ(Citrus auratium）等の柑橘系植物の果皮を使用することができる。これらの果皮は１種類を用いても、２種類以上を組み合わせて用いても良い。さらに、果皮は、上記の例示のように乾燥して用いても良く、生皮をそのまま用いても良い。また、果皮を浸漬する醸造酢には、上記ジャガイモ酢（又は米酢）の他、米酢、芋酢等の穀物酢、リンゴ酢、ブドウ酢等の果実酢、合成酢等を用いることができる。また、酢に変えてアルコール溶媒またはアルコールと水との混合溶媒に浸漬して果皮抽出残渣を得てもよい。
【００２７】
１：１の割合でイチョウ内種子抽出残渣と果皮抽出残渣を混合し、畑に約８〜１０ｇ／ｍ2で一面に施肥した。その結果、土壌病原菌を漸次駆逐して有用微生物の繁殖を促し健全な土壌を作ることができた。該肥料の効果持続時間が長く、病害虫の発生が少ないことが判った。該肥料を用いることによって病原性に強い農作物を育てることができる。
【００２８】
イチョウ内種子抽出残渣と薬草抽出残渣、ウメ果実抽出残渣、果皮抽出残渣のそれぞれを１：１：１：１の割合で混合した肥料を作成した。この混合肥料を約８〜１０ｇ／ｍ2の割合で連作によって痩せた畑の一面に撒いた。その結果、農作物はいきよい良く生育したことから、該混合肥料は連作によって痩せた畑地を元に戻す作用があることが判った。このように、本発明肥料を痩せた畑地に撒いて、農作物を育てても、枝葉、根茎が発達し、色香も良く勢いの強い農作物を育てることができた。
実施例５
Ａ．材料の調製
（イ）ウォッカで漬けた（ウォッカで１年以上浸漬）後のイチョウ内種子２ｋｇ、トウガラシ２００ｇ、キィウイフルーツ、生の菊芋等を半透明のプラスチック容器に入れ、それぞれが米酢に浸るようにして３ヶ月以上浸漬する。
【００２９】
イチョウ内種子は酢に付け替えることにより、野菜の成長が早くなる。
（ロ）漬け上がった液で生のドクダミの葉を漬ける。
（ハ）乾燥ドクダミ２２０ｇ、生のドクダミ２２０ｇ、生のスギナ２２０ｇが浸るようにジャガイモ酢（又は米酢）、又は米酢で３ヶ月以上漬ける。
（ニ）生のドクダミの茎を芋焼酎に１ヶ月以上漬ける。これをジャガイモ酢（又は米酢）といれかえる。
（ホ）イチョウの葉の若葉を芋焼酎に６ヶ月以上漬ける。
（ヘ）玉葱の絞り汁２ｌと（イ）の浸漬液２ｌを加えて１５日間以上漬ける。
Ｂ．混合する材料の調製
（イ）の浸漬液を抜いた残渣約８ｋｇ
（ロ）４ｋｇ
（ハ）の液を抜いた残渣全部約３ｋｇ
（ニ）酢を抜いた材料全部２．２ｋ
（ホ）芋焼酎を抜いた残渣約２ｋｇ
（ヘ）液のみ使用約１ｌ
（イ）（ロ）（ハ）（ニ）（ホ）（ヘ）をまぜて良く潰す（ミキサーをかけても良い）。
Ｃ．肥料の調製
菜種粕等の油かす３０ｋｇに対して、Ｂの混合した材料を８ｋｇと（ハ）の乾燥ドクダミ２．５ｋｇを加えて、混合して肥料とする。
【００３０】
油かす、米糠等で増量して耕起時に３０坪に約３ｋｇの割合で撒いて使用する。油かすと同様の使用方法で施肥する場合は、油かすの約１／３の量とする。